(57)【要約】【課題】景品が傾斜面で転落または滑落する場合の動作を多彩にするとともに、景品が傾斜面で転落または滑落する場合の距離を延長する。【解決手段】景品台１００は、天板１０１及びこれを支持する支持部１０２を有し、取得手段から落下した景品４を前天板１０１の上面で転落または滑落させることで景品落し口３６に導く。天板１０１には、傾斜方向が互いに異なる複数の傾斜面１０３、１０４を設け、当該複数の傾斜面１０３、１０４は、景品４が転落または滑落する方向を転換可能に配置されている。これにより、景品４が傾斜面で転落または滑落する場合の動作を多彩にするとともに、景品４が傾斜面で転落または滑落する場合の距離を延長することができる。【選択図】  図９
2008067802.tif 000002
【特許請求の範囲】
【請求項１】
景品を取得手段で取得して移動させる景品取得ゲーム装置のケーシング内の床面に載置可能で、天板及びこれを支持する支持部を有し、前記取得手段により移動された前記景品を前記天板の上面で転落または滑落させることで前記景品取得ゲーム装置の景品取出口に導く景品台であって、
前記天板に、傾斜方向が互いに異なる複数の傾斜面を設け、当該複数の傾斜面は、前記景品が転落または滑落する方向を転換可能に配置されていることを特徴とする景品台。
【請求項２】
前記複数の傾斜面は、前記傾斜角を調整可能な状態で前記支持部に取付けられていることを特徴とする請求項１に記載の景品台。
【請求項３】
前記支持部は、前記天板の高さを調整可能な状態で前記天板を支持していることを特徴とする請求項１または２に記載の景品台。
【請求項４】
前記複数の傾斜面の内少なくとも一つに、前記景品の転落または滑落を阻止する阻止手段を設けたことを特徴とする請求項１乃至３のいずれか一つに記載の景品台。
【請求項５】
前記複数の傾斜面の内一つは、前記景品を前記景品取得ゲーム装置の前方向に転落または滑落させる方向に傾斜する前方向誘導傾斜面であり、前記複数の傾斜面の内もう一つは、前記前方向誘導傾斜面より低い位置に配置し、前記景品を前記景品取得ゲーム装置の横方向に転落または滑落させる方向に傾斜する横方向誘導傾斜面であることを特徴とする請求項１乃至４のいずれか一つに記載の景品台。
【請求項６】
前記複数の傾斜面の内一つは、前記景品を前記景品取得ゲーム装置の横方向に転落または滑落させる方向に傾斜する横方向誘導傾斜面であり、前記複数の傾斜面の内もう一つは、前記横方向誘導傾斜面より低い位置に配置し、前記景品を前記景品取得ゲーム装置の前方向に転落または滑落させる方向に傾斜する前方向誘導傾斜面であることを特徴とする請求項１乃至４のいずれか一つに記載の景品台。
【請求項７】
前記天板に水平に配置する水平面を設け、前記複数の傾斜面の内一つは、前記水平面より高い位置に配置して前記景品を前記水平面に導き、前記複数の傾斜面の内もう一つは、前記水平面より低い位置に配置していることを特徴とする請求項１乃至４のいずれか一つに記載の景品台。
【請求項８】
前記複数の傾斜面の内一つは、前記景品を前記景品取得ゲーム装置の前方向に転落または滑落させる方向に第１の傾斜角で傾斜する第１の前方向誘導傾斜面であり、前記複数の傾斜面の内もう一つは、前記景品を前記景品取得ゲーム装置の前方向に転落または滑落させる方向に前記第１の傾斜角と異なる第２の傾斜角で傾斜する第２の前方向誘導傾斜面であり、前記複数の傾斜面の内さらにもう一つは、前記第１及び第２の前方向誘導傾斜面より低い位置に配置し、前記景品を前記景品取得ゲーム装置の横方向に転落または滑落させる方向に傾斜する横方向誘導傾斜面であることを特徴とする請求項１乃至４のいずれか一つに記載の景品台。
【請求項９】
前記阻止手段は前記傾斜面の下辺及び当該下辺の上側に設けたことを特徴とする請求項４乃至８のいずれか一つに記載の景品台。
【請求項１０】
遊戯者が操作手段を操作することにより景品取得手段を動作させてケーシング内の所望の景品を取得して景品取得口に移動させる景品取得ゲーム装置の該ケーシング内の床面に据え付け可能な景品台であって、
該景品台は天板と該天板を支持する高さ調整可能なパンタグラフ機構を有し、該天板は水平位置から傾斜させて保持する傾斜機構を有する、
ことを特徴とする景品台。
【請求項１１】
遊戯者が操作手段を操作することにより景品取得手段を動作させてケーシング内の所望の景品を取得して景品取得口に移動させる景品取得ゲーム装置の該ケーシング内の床面に据え付け可能な景品台であって、
該景品台は景品を載置可能な天板及び該天板を支持する高さ調整可能な支持部を有し、
前記天板は主天板と副天板とから構成され、
前記支持部は副天板を着脱自在に取外可能な着脱部を有する、
ことを特徴とする景品台。
【発明の詳細な説明】
【技術分野】
【０００１】
本発明は、景品取得ゲーム装置のケーシング内に設けられた景品台に関する。
【背景技術】
【０００２】
従来、アミューズメント等の遊戯施設に設置される業務用のアーケードゲーム装置として、景品を取得するための取得手段を備えた景品取得ゲーム装置がクレーンゲーム機という名前で実用化されている。
【０００３】
従来の景品取得ゲーム装置は、筐体の下部に設けられた基台と、前記筐体の前記基台より上側に設けられマスコット人形、アクセサリー、玩具等の景品を収納する収容部であるところのケーシングと、ケーシング内の景品を把持部で把持して移動させる取得手段とを備えている。遊戯者は、景品取得ゲーム装置で遊戯を行う際に、操作部を操作して景品の置かれた位置に把持部を移動させ、目的の景品を把持部で把持した状態で吊り下げ、その景品を投入口に落下させて外部に取り出せる状態にしている。
【０００４】
景品取得ゲーム装置のケーシング内には、景品の効果的なディスプレイを行うために、例えば特許文献１に示されているように、景品を展示する天板の高さ調整が可能な景品台をケーシング内に設ける方法が普及している。また、例えば特許文献２には、景品を展示する台板の高さを電動により調整が可能な景品載置台をケーシング内に設ける技術が提案されている。さらに近年では、ゲーム性を高めるとともに、プレイヤーが景品を取得する確率を高める等の目的から、前記取得手段から落下した前記景品を前記天板の上面に形成した傾斜面で転落または滑落させることで景品落し口等の景品取出口に導く景品台が実用化されている。
【０００５】
【特許文献１】特開２００５−８０７９８号公報
【特許文献２】特開２００６−６８２１９号公報
【発明の開示】
【発明が解決しようとする課題】
【０００６】
ところで、上述した従来の取得手段から落下した景品を前記天板の上面に形成した傾斜面で転落または滑落させることで景品取出口に導く景品台では、景品の転落または滑落する方向が一方向のみになるため、景品の動きが単調であるとともに景品が転落または滑落する距離を十分確保できず、ゲーム性を十分高めているとはいえなかった。
【０００７】
本発明は、こうした従来の問題に鑑みてなされたものであり、景品が傾斜面で転落または滑落する場合の動作を多彩にするとともに、景品が傾斜面で転落または滑落する場合の距離を延長することができる景品台を提供することを目的としている。
【課題を解決するための手段】
【０００８】
上述した課題を解決するため、請求項１に記載の発明は、景品を取得手段で把持して移動させる景品取得ゲーム装置のケーシング内の床面に載置され、天板及びこれを支持する支持部を有し、前記取得手段から落下した前記景品を前記天板の上面で転落または滑落させることで前記景品取得ゲーム装置の景品取出口に導く景品台であって、前記天板に、傾斜方向が互いに異なる複数の傾斜面を設け、当該複数の傾斜面は、前記景品が転落または滑落する方向を転換可能に配置されていることを特徴とする。
【０００９】
請求項２に記載の発明は、請求項１に記載の景品台であって、前記複数の傾斜面は、前記傾斜角を調整可能な状態で前記支持部に取付けられていることを特徴とする。
【００１０】
請求項３に記載の発明は、請求項１または２に記載の景品台であって、前記支持部は、前記天板の高さを調整可能な状態で前記天板を支持していることを特徴とする。
【００１１】
請求項４に記載の発明は、請求項１乃至３のいずれか一つに記載の景品台であって、前記複数の傾斜面の内少なくとも一つに、前記景品の転落または滑落を阻止する阻止手段を設けたことを特徴とする。
【００１２】
請求項５に記載の発明は、請求項１乃至４のいずれか一つに記載の景品台であって、前記複数の傾斜面の内一つは、前記景品を前記景品取得ゲーム装置の前方向に転落または滑落させる方向に傾斜する前方向誘導傾斜面であり、前記複数の傾斜面の内もう一つは、前記前方向誘導傾斜面より低い位置に配置し、前記景品を前記景品取得ゲーム装置の横方向に転落または滑落させる方向に傾斜する横方向誘導傾斜面であることを特徴とする。
【００１３】
請求項６に記載の発明は、請求項１乃至４のいずれか一つに記載の景品台であって、前記複数の傾斜面の内一つは、前記景品を前記景品取得ゲーム装置の横方向に転落または滑落させる方向に傾斜する横方向誘導傾斜面であり、前記複数の傾斜面の内もう一つは、前記横方向誘導傾斜面より低い位置に配置し、前記景品を前記景品取得ゲーム装置の前方向に転落または滑落させる方向に傾斜する前方向誘導傾斜面であることを特徴とする。
【００１４】
請求項７に記載の発明は、請求項１乃至４のいずれか一つに記載の景品台であって、前記天板に水平に配置する水平面を設け、前記複数の傾斜面の内一つは、前記水平面より高い位置に配置して前記景品を前記水平面に導き、前記複数の傾斜面の内もう一つは、前記水平面より低い位置に配置していることを特徴とする。
【００１５】
請求項８に記載の発明は、請求項１乃至４のいずれか一つに記載の景品台であって、前記複数の傾斜面の内一つは、前記景品を前記景品取得ゲーム装置の前方向に転落または滑落させる方向に第１の傾斜角で傾斜する第１の前方向誘導傾斜面であり、前記複数の傾斜面の内もう一つは、前記景品を前記景品取得ゲーム装置の前方向に転落または滑落させる方向に前記第１の傾斜角と異なる第２の傾斜角で傾斜する第２の前方向誘導傾斜面であり、前記複数の傾斜面の内さらにもう一つは、前記第１及び第２の前方向誘導傾斜面より低い位置に配置し、前記景品を前記景品取得ゲーム装置の横方向に転落または滑落させる方向に傾斜する横方向誘導傾斜面であることを特徴とする。
【００１６】
請求項９に記載の発明は、請求項４乃至８のいずれか一つに記載の景品台であって、前記阻止手段は前記傾斜面の下辺及び当該下辺の上側に設けたことを特徴とする。
【００１７】
請求項１０に記載の発明は、遊戯者が操作手段を操作することにより景品取得手段を動作させてケーシング内の所望の景品を取得して景品取得口に移動させる景品取得ゲーム装置の該ケーシング内の床面に据え付け可能な景品台であって、  該景品台は天板と該天板を支持する高さ調整可能なパンタグラフ機構を有し、該天板は水平位置から傾斜させて保持する傾斜機構を有することを特徴とする景品台。
【００１８】
請求項１０に記載の発明は、遊戯者が操作手段を操作することにより景品取得手段を動作させてケーシング内の所望の景品を取得して景品取得口に移動させる景品取得ゲーム装置の該ケーシング内の床面に据え付け可能な景品台であって、該景品台は景品を載置可能な天板及び該天板を支持する高さ調整可能な支持部を有し、前記天板は主天板と副天板とから構成され、前記支持部は副天板を着脱自在に取外可能な着脱部を有することを特徴とする。
【００１９】
請求項１に記載の景品台によれば、天板に設けた複数の傾斜面は、景品が転落または滑落する方向を転換可能に配置されているので、景品が傾斜面で転落または滑落する場合の動作を多彩にするとともに、景品が傾斜面で転落または滑落する場合の距離を延長することができる。
【００２０】
請求項２に記載の景品台によれば、景品が傾斜面で転落または滑落する場合の動作を多彩にし、景品が傾斜面で転落または滑落する場合の距離を延長するとともに、複数の傾斜面の傾斜角を調整することで景品が傾斜面で転落または滑落する場合の速度を調整することができる。
【００２１】
請求項３に記載の景品台によれば、景品が傾斜面で転落または滑落する場合の動作を多彩にし、景品が傾斜面で転落または滑落する場合の距離を延長するとともに、天板の高さを調整することで景品が傾斜面で転落または滑落する場合の経路の高さを調整することができる。
【００２２】
請求項４に記載の景品台によれば、景品が傾斜面で転落または滑落する場合の動作を多彩にし、景品が傾斜面で転落または滑落する場合の距離を延長するとともに、阻止手段により景品の転落または滑落を部分的に阻止できるので、景品の転落または滑落を停止させることで景品取得ゲーム装置によるゲーム内容を多彩にするとともに、景品を展示する景品展示台として活用できる。
【００２３】
請求項５に記載の景品台によれば、上側の前方向誘導傾斜面と下側の横方向誘導傾斜により、景品が傾斜面で転落または滑落する場合の動作を多彩にし、景品が傾斜面で転落または滑落する場合の距離を延長することができる。
【００２４】
請求項６に記載の景品台によれば、上側の横方向誘導傾斜面と下側の前方向誘導傾斜面により、景品が傾斜面で転落または滑落する場合の動作を多彩にし、景品が傾斜面で転落または滑落する場合の距離を延長することができる。
【００２５】
請求項７に記載の景品台によれば、景品が傾斜面で転落または滑落する場合の動作を多彩にし、景品が傾斜面で転落または滑落する場合の距離を延長するとともに、天板に水平に配置する水平面により景品の転落または滑落を部分的に阻止できるので、景品の転落または滑落を停止させることで景品取得ゲーム装置によるゲーム内容を多彩にするとともに、景品を展示する景品展示台として活用できる。
【００２６】
請求項８に記載の景品台によれば、上側の第１及び第２の前方向誘導傾斜面と下側の横方向誘導傾斜面により、前記景品が傾斜面転落または滑落する場合の動作を多彩にし、景品が傾斜面で転落または滑落する場合の距離を延長することができる。
【００２７】
請求項９に記載の景品台によれば、景品が傾斜面で転落または滑落する場合の動作を多彩にし、景品が傾斜面で転落または滑落する場合の距離を延長するとともに、傾斜面の下辺及び当該下辺の上側に設けた阻止手段により景品の転落または滑落を一つの傾斜面の上下二カ所で阻止できるので、景品の転落または滑落を上下二カ所で停止させることで景品取得ゲーム装置によるゲーム内容をさらに多彩にするとともに、景品を展示する景品展示台としての活用性が更に高まる。
【００２８】
請求項１０に記載の景品台によれば、傾斜した天板に対してパンタグラフ機構により高さ調整することで、景品が傾斜面で転落または滑落する場合の動作を多彩にすることができる。
【００２９】
請求項１１に記載の景品台によれば、副天板を着脱することができるため、景品台の汎用性が高まる。
【発明の効果】
【００３０】
本発明の景品取得ゲーム装置によれば、景品が傾斜面で転落または滑落する場合の動作を多彩にするとともに、景品が傾斜面で転落または滑落する場合の距離を延長することで、プレイヤーの関心及び緊張感を長く持続することができ、プレイヤーに好印象を与えることができる。
【発明を実施するための最良の形態】
【００３１】
以下、本発明に係る景品台の好適な第１の実施形態を図１乃至図９の図面を参照して説明する。尚、図１は、景品台１００を収納した景品取得ゲーム装置１の正面図、図２は、景品台１００の支持部１０２を伸ばした状態の斜視図、図３は、景品台１００の支持部１０２を最も縮めた状態の斜視図、図４は、景品台１００の平面図、図５は、景品台１００の正面図、図６は、景品台１００の側面図、図７は、主天板１０５を取り外した景品台１００の斜視図、図８は、主天板１０５を取り外し回動枠体２０２を傾斜させた景品台１００の斜視図、図９は、景品台１００及びその周辺部を示す斜視図である。
【００３２】
図１において、景品取得ゲーム装置１は、直方体の基台２の上に箱型の収容部としてのケーシング３を設けた構造になっている。このケーシング３の前面３１及び側面３２、３３は、ケーシング３に収容された景品４を目視することができるように透明な樹脂またはガラスの板状部材によって構成されている。このようなケーシング３の前面３１には、店舗の店員が、景品をケーシング３に収容するための引き戸式の透明な扉３５が設けられており、キャラクタ等のぬいぐるみや、雑貨などの景品４を収容することができる。また、開閉扉３５には、当該開閉扉３５に対して施錠を行う施錠手段３５ａが設けられている。
【００３３】
ケーシング３の左前側及び右前側の底部には、景品４を受けるための景品落し口３６が垂直方向に設けられている。
【００３４】
さらに、ケーシング３の内部上面には、景品取得部５が吊り下げられている。この景品取得部５は、内部上面から鉛直方向に吊り下げられた支持部５１と、その下端に設けられた把持部５２とから構成されている。より詳細に説明すると、ケーシング３の内部上面には、景品取得部５が走行するための左右移動用固定レール３７と、前後移動用可動レール３８とが設けられている。支持部５１は、景品取得部用基台３９を介して前後移動用可動レール３８に配置されている。左右移動用固定レール３７、前後移動用可動レール３８及び景品取得部用基台３９は、景品取得部５をＸ、Ｙ、Ｚ方向に移動させる移動部１０になっている。
【００３５】
即ち、支持部５１は、前後移動用可動レール３８上であって、かつ前後移動用可動レール３８が左右移動用固定レール３７に従って移動する範囲内を走行可能に構成されており、かつ上下方向にも伸縮可能に構成されている。景品取得部５は、左右移動用固定レール３７上を走行することによってケーシング３内部を左右方向（Ｘ方向）に移動し、前後移動用可動レール３８上を走行することによって前後方向（Ｙ方向）に移動することができる。把持部５２は、景品４を把持するために蟹足状の２本のアーム５３が開閉可能に設けられている。この２本のアーム５３は、通常は閉じた状態となっているが、景品を掴む時に遊戯者の操作に従って開くように構成されている。
【００３６】
このような構造により、景品取得部５及び移動部１０は、景品を取得する取得手段となっている。景品取得ゲーム装置１は、景品を取得手段で把持して移動させる。
【００３７】
一方、基台２には、遊戯者がプレイするための操作卓２１が設けられている。この操作卓２１には、レバー２２と釦スイッチ２３が設けられている。レバー２２は、景品取得部５を所望の景品４に対応する水平方向（ＸＹ方向）の位置に移動及び停止させるための移動操作手段になっている。釦スイッチ２３は、景品取得部５を降下させ、アーム５３を動作させて景品４を把持させるための把持操作手段になっている。尚、本実施形態では、景品取得部５を移動させる移動操作手段としてレバー２２を用いているが、移動操作手段としては釦スイッチでもよく、釦スイッチを移動操作手段と把持操作手段に兼用してもよい。
【００３８】
また、操作卓２１の正面下方には、プレイの際に遊戯者がコインを投入するコイン投入口２４が設けられている。さらに、基台２の正面には、景品取出口２５が設けられている。この取出口２５は、景品４が通れるように景品落し口３６へ通じている。
【００３９】
また、景品取得ゲーム装置１のケーシング３内の床面６０には景品台１００が載置されている。景品台１００は、天板１０１及びこれを支持する支持部１０２を有し、前記取得手段から落下した前記景品４を前記天板１０１の上面で転落または滑落させることで景品落し口３６に導く。前記天板１０１には、傾斜方向が互いに異なる複数の傾斜面１０３、１０４を設けている。当該複数の傾斜面１０３、１０４は、前記景品４が転落または滑落する方向を転換可能に配置されている。
【００４０】
以下、景品台１００について詳細に説明する。
【００４１】
図２において、天板１０１は、主天板１０５及び副天板１０６から構成されている。主天板１０５及び副天板１０６は、それぞれケーシング３（図１参照）の後側及び前側に配置される。
【００４２】
主天板１０５及び副天板１０６は、角度調整可能な状態で支持部１０２に取付けられることでそれぞれ傾斜面１０３、１０４（図９参照）を形成するようになっている。
【００４３】
景品台１００の支持部１０２は、当該天板１０１の主天板１０５の下面に取付けられる主天板取付け枠体１１１と、副天板１０６を回動可能な状態で取付ける副天板取付け部材１１２と、ケーシング３内の床面６０に配置される方形の基座枠体１１３と、これらの主天板取付け枠体１１１と基座枠体１１３の間に取付けられるパンタグラフ機構としての複数組の開閉支脚１２１、１２２、１２３、１２４（図７参照）と、天板１０１を押し上げる方向に弾性力を常時作用させる引きバネ１３１、１３２、１３３、１３４（図７参照）及びトーションバネ１３５、１３６、１３７、１３８（図５及び図７参照）と、開閉支脚１２２に設けられ、その支脚部材を所望の開閉角度位置で固定するロック装置１４２とから構成されている。尚、開閉支脚１２１、１２２、１２３、１２４（図７参照）は、引きバネ１３１、１３２、１３３、１３４（図７参照）及びトーションバネ１３５、１３６、１３７、１３８（図５及び図７参照）により、後述する２本の支脚部材の交差する角度を大きくする方向に付勢されている。
【００４４】
図８において、主天板取付け枠体１１１は、水平枠体２０１と、この水平枠体２０１に対して回動可能な状態で取付けられる回動枠体２０２と、コ字状に形成され回動枠体２０２を所望の角度で支える支持棒２０３より構成されている。
【００４５】
水平枠体２０１は、前後左右の外周フレーム２１１、２１２、２１３、２１４及び左右の内側フレーム２１５、２１６から構成される。
【００４６】
外周フレーム２１１、２１２は、長手方向に沿って折り曲げられ断面形状がＬ字状に形成されている。
【００４７】
左右の内側フレーム２１５、２１６には、支持棒２０３を係止する鋸歯状部２１７、２１８が上方に向けて形成されている。
【００４８】
回動枠体２０２は、前後左右の外周フレーム２２１、２２２、２２３、２２４から構成されている。前側の外周フレーム２２１は、水平枠体２０１の外周フレーム２１１に横方向を軸として回動可能な状態で取付けられている。
【００４９】
後側の外周フレーム２２２には、支持棒２０３の一端及び他端が横方向を軸として回動可能な状態で取付けられている。
【００５０】
回動枠体２０２の上面には、主天板１０５（図３、図４及び図６参照）をネジ止め固定により取付ける。
【００５１】
前記主天板取付け枠体１１１の外周フレーム２１１の正面右端には、副天板取付け部材１１２の基端が嵌合とネジ止めにより取付けられている。副天板取付け部材１１２は主天板取付け枠体１１１に取付けられた状態で長手方向が前後方向に向く。
【００５２】
副天板取付け部材１１２の上辺には、ヒンジ２３１を介して副天板１０６の下面の右辺近傍が取付けられている。
【００５３】
基座枠体１１３は、前後左右の外周フレーム２４１、２４２、２４３、２４４から構成されている。
【００５４】
開閉支脚１２１は、支持部１０２の左前側に配置し、中央部でシャフト２５３により互いに回動自在にＸ字状に枢支された２本の支脚部材２５１、２５２から成るものが、対を成して相対向して設けられている。
【００５５】
支脚部材２５１の一端側は、シャフト２５４を介して基座枠体１１３の前側の外周フレーム２４１に前後方向を軸として回動可能な状態で取付けられている。
【００５６】
支脚部材２５１の他端側は、シャフト２５５（図５参照）を介して前記主天板取付け枠体１１１の外周フレーム２１１に左右方向に摺動可能な状態で取付けられている。
【００５７】
支脚部材２５２の一端側は、シャフト２５６（図５参照）を介して前記主天板取付け枠体１１１の外周フレーム２１１に前後方向を軸として回動可能な状態で取付けられている。
【００５８】
支脚部材２５２の他端側は、シャフト２５７を介して基座枠体１１３の前側の外周フレーム２４１に左右方向に摺動可能な状態で取付けられている。
【００５９】
シャフト２５４、２５７の間には引きバネ１３１が設けられている。
引きバネ１３１は、シャフト２５７を左方向に付勢している。
【００６０】
シャフト２５３には、トーションバネ１３５のコイル部が取付けられている。トーションバネ１３５の一端は支脚部材２５１に係止し、トーションバネ１３５の他端は支脚部材２５２に係止している。トーションバネ１３５は、支脚部材２５１、２５２の開閉角度が大きくなるように付勢している。
【００６１】
図５において、開閉支脚１２２は、支持部１０２の右前側に配置し、中央部でシャフト２６３により互いに回動自在にＸ字状に枢支された２本の支脚部材２６１、２６２から成るものが、対を成して相対向して設けられている。
【００６２】
支脚部材２６１の一端側は、シャフト２６４を介して基座枠体１１３の前側の外周フレーム２４１に前後方向を軸として回動可能な状態で取付けられている。
【００６３】
支脚部材２６１の他端側は、シャフト２６５（図５参照）を介して前記主天板取付け枠体１１１の外周フレーム２１１に左右方向に摺動可能な状態で取付けられている。
【００６４】
支脚部材２６２の一端側は、シャフト２６６（図５参照）を介して前記主天板取付け枠体１１１の外周フレーム２１１に前後方向を軸として回動可能な状態で取付けられている。
【００６５】
支脚部材２６２の他端側は、シャフト２６７を介して基座枠体１１３の前側の外周フレーム２４１に左右方向に摺動可能な状態で取付けられている。
【００６６】
シャフト２６５には、外周フレーム２１１に対する摺動を禁止するための締め付けネジがロック装置１４２として取付けられている。
【００６７】
図７において、シャフト２６４、２６７の間には引きバネ１３２が設けられている。
引きバネ１３２は、シャフト２６７を右方向に付勢している。
【００６８】
図５において、シャフト２６３には、トーションバネ１３６のコイル部が取付けられている。トーションバネ１３６の一端は支脚部材２６１に係止し、トーションバネ１３５の他端は支脚部材２６２に係止している。トーションバネ１３６は、支脚部材２６１、２６２の開閉角度が大きくなるように付勢している。
【００６９】
図７において、開閉支脚１２３は、支持部１０２の左後側に配置し、中央部でシャフト２７３により互いに回動自在にＸ字状に枢支された２本の支脚部材２７１、２７２から成るものが、対を成して相対向して設けられている。
【００７０】
支脚部材２７１の一端側は、シャフト２７４を介して基座枠体１１３の後ろ外周フレーム２４２に前後方向を軸として回動可能な状態で取付けられている。
【００７１】
支脚部材２７１の他端側は、シャフト２７５（図７参照）を介して前記主天板取付け枠体１１１の外周フレーム２１２に左右方向に摺動可能な状態で取付けられている。
支脚部材２７２の一端側は、シャフト２７６（図５参照）を介して前記主天板取付け枠体１１１の外周フレーム２１２に前後方向を軸として回動可能な状態で取付けられている。
【００７２】
支脚部材２７２の他端側は、シャフト２７７を介して基座枠体１１３の後側の外周フレーム２４２に左右方向に摺動可能な状態で取付けられている。
シャフト２７４、２７７の間には引きバネ１３３が設けられている。
引きバネ１３３は、シャフト２７７を左方向に付勢している。
【００７３】
シャフト２７３には、トーションバネ１３７のコイル部が取付けられている。トーションバネ１３７の一端は支脚部材２７１に係止し、トーションバネ１３５の他端は支脚部材２７２に係止している。トーションバネ１３７は、支脚部材２７１、２７２の開閉角度が大きくなるように付勢している。
【００７４】
開閉支脚１２４は、支持部１０２の右後側に配置し、中央部でシャフト２８３により互いに回動自在にＸ字状に枢支された２本の支脚部材２８１、２８２から成るものが、対を成して相対向して設けられている。
【００７５】
支脚部材２８１の一端側は、シャフト２８４を介して基座枠体１１３の後ろ外周フレーム２４２に前後方向を軸として回動可能な状態で取付けられている。
【００７６】
支脚部材２８１の他端側は、シャフト２８５を介して前記主天板取付け枠体１１１の外周フレーム２１２に左右方向に摺動可能な状態で取付けられている。
【００７７】
支脚部材２８２の一端側は、シャフト２８６を介して前記主天板取付け枠体１１１の外周フレーム２１２に前後方向を軸として回動可能な状態で取付けられている。
【００７８】
支脚部材２８２の他端側は、シャフト２８７を介して基座枠体１１３の後側の外周フレーム２４２に左右方向に摺動可能な状態で取付けられている。
シャフト２８４、２８７の間には引きバネ１３４が設けられている。
引きバネ１３４は、シャフト２８７を右方向に付勢している。
【００７９】
シャフト２８３には、トーションバネ１３８のコイル部が取付けられている。トーションバネ１３８の一端は支脚部材２８１に係止し、トーションバネ１３８の他端は支脚部材２８２に係止している。トーションバネ１３７は、支脚部材２８１、２８２の開閉角度が大きくなるように付勢している。
【００８０】
開閉支脚１２１の支脚部材２５１は、二本の棒状部材２９１、２９２により開閉支脚１２３の支脚部材２７１に固定されている。
【００８１】
支脚部材２５１、２７１の場合と同様に、支脚部材２５２、２６１、２６２も、二本の棒状部材よってそれぞれ支脚部材２７２、２８１、２８２に固定されている。
【００８２】
また、本実施形態では、図１及び図９に示すように、主天板１０５による前記傾斜面１０３の前側の辺に、前記景品の転落または滑落を限定的に阻止する阻止手段として景品係止ガイド部材３０１、３０２、３０３を設けている。景品係止ガイド部材３０１、３０２、３０３は、断面形状が三角形の棒状に形成され、横方向に並べて設けられている。尚、景品係止ガイド部材３０１、３０２、３０３は、端面が互い接触しているだけで、個別の部材として分割している。
【００８３】
このような構造により、図９に示す前記複数の傾斜面１０３、１０４は、前記傾斜角を調整可能な状態で前記支持部１０２に取付けられている。
【００８４】
前記支持部１０２は、前記天板１０１の高さを調整可能な状態で前記天板１０１を支持している。
【００８５】
以下、景品台１００の支持部１０２による天板１０１の高さ調整について詳細に説明する。
【００８６】
図２において、天板１０１の高さ調整を調整する場合には、まず締め付けネジであるロック装置１４２を緩めて、シャフト２６５を水平枠体２０１の前側の外周フレーム２１１に対して摺動可能な状態にする。開閉支脚１２１、１２２、１２３、１２４は、作業者が天板１０１に対して上向きの力を加えてアシストを行い、引きバネ１３１、１３２、１３３、１３４（図７参照）及びトーションバネ１３５、１３６、１３７、１３８（図５及び図７参照）の付勢により最も開いた状態となり、支持部１０２の高さが最も高く、傾斜面１０３、１０４の角度調整を行わない状態では天板１０１の位置が最も高くなる。
【００８７】
ここで、作業者は、天板１０１の位置が最も高い位置で固定する場合、このままロック装置１４１、１４２を締めて、開閉支脚１２１、１２２、１２３、１２４を最も開いた状態で固定する。
【００８８】
次に、天板１０１の高さ調整を低い位置に調整する場合、ロック装置１４１、１４２を緩めた状態で、作業者は、天板１０１上の景品が軽い場合、手作業で下向きの力を加え、天板１０１上の景品が重い場合、天板１０１上の景品が場合に急に下がらないように手で上方へアシストを行い、開閉支脚１２１、１２２、１２３、１２４を閉じていき、取付け枠体１１１と基座枠体１１３の間を狭め、天板１０１の所望の高さにし、ロック装置１４１、１４２を締めて、開閉支脚１２１、１２２、１２３、１２４を固定し、天板１０１の高さを固定する。
【００８９】
ここで開閉支脚１２１、１２２、１２３、１２４にトーションバネ１３５、１３６、１３７、１３８（図５及び図７参照）を設ける理由は、引きバネ１３１、１３２、１３３、１３４（図７参照）だけでは、天板１０１の高さが最も低い位置（図３参照）及びその近傍で開閉支脚１２１、１２２、１２３、１２４を開く付勢力が不足するためである。
【００９０】
以下、主天板１０５による傾斜面１０３の傾斜の調整方法について説明する。図２において、作業者は主天板１０５の後側に上向きの力を加え、水平枠体２０１（図７及び図８参照）に対して回動枠体２０２（図７及び図８参照）を回動させて、水平枠体２０１（図７及び図８参照）と回動枠体２０２（図７及び図８参照）の間を開き、支持棒２０３（図７及び図８参照）を回動枠体２０２（図７及び図８参照）に対して回動させ、回動枠体２０２の角度調整を行い、図８に示すように、左右の内側フレーム２１５、２１６の鋸歯状部２１７、２１８の適切な位置に支持棒２０３を係止させる。これにより、主天板１０５による傾斜面１０３は水平から前方に傾斜し適切な調整された傾斜角で停止する。
【００９１】
以下、副天板１０６による傾斜面１０４の傾斜の第１の調整方法について説明する。
【００９２】
図９において、副天板１０６はヒンジ２３１を介して副天板取付け部材１１２に取付けられている。このため、支持部１０２を一定にした状態では、前記主天板取付け枠体１１１の外周フレーム２１１の副天板取付け部材１１２より左側に係止部材を嵌合やネジ止めで取り付け、副天板１０６の下面を下側から係止することで副天板１０６を水平から左方向に傾斜させ適切な傾斜角で固定する。
【００９３】
以下、副天板１０６による傾斜面１０４の傾斜の第２の調整方法について説明する。
【００９４】
副天板１０６は、前述した係止部材を取付けていない状態では、左辺が床面６０に当接する。このため、支持部１０２の高さ調整を行うことで、副天板１０６は、副天板取付け部材１１２に対して回動し、副天板１０６が角度調整され、傾斜面１０４の傾斜角が調整される。
【００９５】
次に、景品取得ゲーム装置１の動作を説明する。ここで、景品台１００は、傾斜面１０４の左横に景品落し口３６が来るように床面６０に配置する。
【００９６】
まず、初期状態では、図１に示す景品取得部５は景品落し口３６の直上の位置（ホームポジション）に位置しており、遊戯者がコイン投入口２４にコインを投入すると、ゲーム可能状態となる。そして、遊戯者がレバー２２を左右方向に操作し、駆動源が作動して景品取得部５が左右方向に移動する。そして、遊戯者は、所望の景品に対応する左右方向の位置に景品取得部５が停止するようにレバー２２を離す。遊戯者がレバー２２を離すと、景品取得部５が停止する。次に、遊戯者がレバー２２を前後方向に操作すると、景品取得部５が前後方向に移動する。遊戯者が所望する位置に景品取得部５が停止するようにレバー２２を離すと、景品取得部５は一旦停止する。この後、遊戯者が把持操作手段（例えば釦スイッチ）２３を押すと、景品取得部５は、二本のアーム５３を開いた後、支持部５１を下方に伸ばす。景品取得部５は、把持部５２がケーシング３下部に配置された景品４の位置にくると、アーム５３を閉じる（景品の把持動作）。この後、景品取得部５は、アーム５３を閉じた状態で支持部５１を上方に縮ませ、景品落し口３６の直上の位置（ホームポジション）まで移動する。そして、景品取得部５が、景品落し口３６の上方でアーム５３を開く（景品の解放動作）と、ゲームが終了する。
【００９７】
従って、景品取得部５の把持動作にて景品４を掴むことができた場合には、景品４はアーム５３によって掴まれた状態で景品落し口３６まで運ばれた後、景品の解放動作にて景品落し口３６内に直接落下するか、またはそれ以前の経路でアーム５３から滑って落下する。ここで、図９に示す天板１０１の後方の傾斜面１０３に景品４が落下した場合、景品４が前方に向けて傾斜面１０３を転落または滑落する勢いに応じて、景品係止ガイド部材３０１、３０２、３０３に係止するかまたは前方の傾斜面１０４に落下する、もしくは直接景品落し口３６に落下する。傾斜面１０４に落下した景品４は、傾斜面１０４を左方向に転落または滑落して景品落し口３６に落下する。そして、景品４が景品落し口３６に落下すると、遊戯者は、景品取出口２５から景品４を取り出すことになる。
【００９８】
尚、景品係止ガイド部材３０１、３０２、３０３の長手方向を前後方向に向け、当該景品係止ガイド部材３０１、３０２、３０３を傾斜面１０４に取付ければ、傾斜面１０４を転落または滑落する景品を停止させることが可能となり、遊戯者の景品取得率を調整することができる。
【００９９】
また、前述の説明では、遊戯者がレバー２２を左右方向と前後方向で個別に操作する例で説明しているが、本実施形態の景品取得ゲーム装置１は、遊戯者がレバー２２を前後左右に操作することで、一定時間、景品取得部５を前後左右に自由に動かすことが可能になっている。景品取得ゲーム装置１側が見れば、制御部が、一定時間、レバー２２の操作入力を受け付け、景品取得部５を作動させる制御を行う。
【０１００】
かかる構成の景品台１００によれば、前記天板１０１に設けた複数の傾斜面１０３、１０４は、前記景品４が転落または滑落する方向を転換可能に配置されているので、前記景品４が傾斜面で転落または滑落する場合の動作を多彩にするとともに、前記景品４が傾斜面で転落または滑落する場合の距離を延長することができる。
【０１０１】
また、景品台１００によれば、前記複数の傾斜面１０３、１０４の前記傾斜角を調整することで前記景品４が傾斜面で転落または滑落する場合の速度を調整することができる。
【０１０２】
さらに、景品台１００によれば、前記天板の高さを調整することで前記景品が傾斜面で転落または滑落する場合の経路の高さを調整することができる。
【０１０３】
さらに、景品台１００によれば、阻止手段の景品係止ガイド部材３０１、３０２、３０３により景品４の転落または滑落を部分的に阻止できるので、景品４の転落または滑落を停止させることで景品取得ゲーム装置１によるゲーム内容を多彩にするとともに、景品４を展示する景品展示台として活用できる。
【０１０４】
本発明に係る景品台の第２の実施形態を図１０の図面を参照して説明する。尚、図１０は、第２の実施形態の景品台５００及びその周辺部の斜視図である。図１０に示す景品台５００は、ケーシング４０３の右前側の景品落し口４３６に対応したものである。
【０１０５】
図１０において、景品取得ゲーム装置４０１のケーシング４０３の左前側の底部には、景品４を受けるための景品落し口４３６が垂直方向に設けられている。
【０１０６】
ケーシング４０３の内部上面には、図１の実施形態と同様の景品取得部５が吊り下げられている。
【０１０７】
ケーシング４０３の底部の床面４６０には、景品台５００が載置されている。
【０１０８】
景品台５００は、天板５０１及びこれを支持する支持部５０２を有し、前記取得手段から落下した前記景品４を前記天板５０１の上面で転落または滑落させることで景品落し口４３６に導く。ここで、前記天板５０１には、傾斜方向が互いに異なる複数の傾斜面５０３、５０４及び水平面５１１を設け、当該複数の傾斜面５０３、５０４は、前記景品４が転落または滑落する方向を転換可能に配置されている。
【０１０９】
傾斜面５０３は、景品落し口４３６の左斜め後ろ側に配置し、前記景品を景品取得ゲーム装置４０１の右方向に転落または滑落させる方向に傾斜する。
【０１１０】
傾斜面５０４は、景品落し口４３６の後ろ側に配置し、前記景品を景品取得ゲーム装置１の前方向に転落または滑落させる方向に傾斜する。
【０１１１】
水平面５１１は、景品落し口４３６の右側に配置し、前記景品を安定して載置できるようになっている。
【０１１２】
かかる構成の景品台５００によれば、上側の横方向誘導傾斜面となる傾斜面５０３と下側の前方向誘導傾斜面となる傾斜面５０４により、前記景品が傾斜面で転落または滑落する場合の動作を多彩にし、前記景品が傾斜面で転落または滑落する場合の距離を延長することができる。
【０１１３】
本発明に係る景品台の第３の実施形態を図１１の図面を参照して説明する。尚、図１１は、第３の実施形態の景品台６００及びその周辺部の斜視図である。図１１に示す景品台６００は、ケーシング３の右前側の景品落し口４３６に対応したものである。
【０１１４】
図１１において、ケーシング４０３の底部の床面４６０には、景品台６００が載置されている。
景品台６００は、天板６０１及びこれを支持する支持部６０２を有し、前記取得手段から落下した前記景品４を前記天板６０１の上面で転落または滑落させることで景品落し口４３６に導く。前記天板６０１には、傾斜方向が互いに異なる複数の傾斜面６０３、６０４及び水平面６１１を設け、前記複数の傾斜面６０３、６０４の内一つは、前記水平面６１１より高い位置に配置して前記景品４０４を前記水平面６１１に導き、前記複数の傾斜面１０３、１０４の内もう一つは、前記水平面６１１より低い位置に配置している。
【０１１５】
より詳しく説明すると、傾斜面６０３は、景品落し口４３６の後側に配置し、前記景品４０４を景品取得ゲーム装置４０１の左方向に転落または滑落させる方向に傾斜する。
【０１１６】
傾斜面６０４は、景品落し口４３６の左側に配置し、前記景品を景品取得ゲーム装置１の右方向に転落または滑落させる方向に傾斜する。
【０１１７】
水平面６１１は、傾斜面６０３、６０４の右側に配置し、右辺の後側が傾斜面６０３の左辺に接触して配置するとともに、右辺の前側が傾斜面６０４の左辺に接触して配置する。
【０１１８】
かかる構成の景品台６００によれば、前記景品４０４が傾斜面で転落または滑落する場合の動作を多彩にし、前記景品４０４が傾斜面で転落または滑落する場合の距離を延長するとともに、天板６０１に水平に配置する水平面６１１により景品４０４の転落または滑落を部分的に阻止できるので、景品４０４の転落または滑落を停止させることで景品取得ゲーム装置１によるゲーム内容を多彩にするとともに、水平面６１１を景品４を展示する景品展示台として活用できる。
【０１１９】
本発明に係る景品台の第４の実施形態を図１２の図面を参照して説明する。尚、図１２は、第４の実施形態の景品台７００及びその周辺部の斜視図である。図１２に示す景品台７００は、ケーシング４０３の右前側の景品落し口４３６に対応したものである。
【０１２０】
図１２において、景品台７００は、天板７０１及びこれを支持する支持部７０２を有し、前記取得手段から落下した前記景品４を前記天板７０１の上面で転落または滑落させることで景品落し口４３６に導く。前記天板７０１には、傾斜方向が互いに異なる複数の傾斜面７０３、７０４、７０５及び水平面７１１を設け、当該複数の傾斜面７０３、７０４、７０５は、前記景品４が転落または滑落する方向を転換可能に配置されている。
【０１２１】
水平面７１１は、景品落し口４３６の後側に配置し、前記景品を安定して載置できるようになっている。
【０１２２】
傾斜面７０３は、景品落し口４３６の左側に配置し、前記景品を景品取得ゲーム装置４０１の前方向に転落または滑落させる方向に傾斜する。
【０１２３】
傾斜面７０４は、傾斜面７０３の左側に配置し、前記景品を景品取得ゲーム装置４０１の前方向に転落または滑落させる方向に傾斜面７０３の場合より大きな角度で傾斜する。
【０１２４】
傾斜面７０５は、傾斜面７０３、７０４の前方に配置し、前記景品を景品取得ゲーム装置４０１の右方向に転落または滑落させる方向に傾斜する。
【０１２５】
このような構造により、前記傾斜面７０３は、前記景品を景品取得ゲーム装置４０１の前方向に転落または滑落させる方向に第１の傾斜角で傾斜する第１の前方向誘導傾斜面となり、前記傾斜面７０４は、前記景品を景品取得ゲーム装置４０１の前方向に転落または滑落させる方向に前記第１の傾斜角と異なる第２の傾斜角で傾斜する第２の前方向誘導傾斜面となり、前記傾斜面７０５の内さらにもう一つは、前記第１及び第２の前方向誘導傾斜面より低い位置に配置し、前記景品を景品取得ゲーム装置４０１の横方向に転落または滑落させる方向に傾斜する横方向誘導傾斜面になっている。
【０１２６】
かかる構成の景品台７００によれば、上側の第１及び第２の前方向誘導傾斜面である傾斜面７０３、７０４と下側の横方向誘導傾斜面である傾斜面７０５により、前記景品４が傾斜面転落または滑落する場合の動作を多彩にし、前記景品４が傾斜面で転落または滑落する場合の距離を延長することができる。
【０１２７】
本発明に係る景品台の第５の実施形態を図１３の図面を参照して説明する。尚、図１３は、景品台８００及びその周辺部の斜視図である。図１３に示す景品台８００は、ケーシング４０３の右前側の景品落し口４３６に対応したものである。
【０１２８】
図１３において、景品台８００は、天板８０１及びこれを支持する支持部８０２を有し、前記取得手段から落下した前記景品４を前記天板８０１の上面で転落または滑落させることで景品落し口４３６に導く。前記天板８０１には、傾斜方向が互いに異なる複数の傾斜面８０３、８０４を設け、当該複数の傾斜面８０３、８０４は、前記景品４が転落または滑落する方向を転換可能に配置されている。
【０１２９】
傾斜面８０３は、景品落し口４３６の左斜め後ろ側に配置し、前記景品を景品取得ゲーム装置４０１の前向に転落または滑落させる方向に傾斜する。
【０１３０】
傾斜面８０４は、景品落し口４３６の左側に配置し、傾斜面８０３より低い位置で前記景品を景品取得ゲーム装置１の右向に転落または滑落させる方向に傾斜する。
【０１３１】
また、傾斜面８０３には、前記景品の転落または滑落を阻止する阻止手段として景品係止ガイド部材９０１、９０２を設けている。
【０１３２】
この場合、景品係止ガイド部材９０１、９０２は、断面形状が三角形の棒状に形成され、傾斜面８０３の下辺及び当該下辺の上側に平行に設けている。
【０１３３】
かかる構成の景品台８００によれば、傾斜面８０３の下辺及び当該下辺の上側に設けた阻止手段の景品係止ガイド部材９０１、９０２により景品の転落または滑落を一つの傾斜面８０３の上下二カ所で阻止できるので、景品の転落または滑落を停止させることで景品取得ゲーム装置４０１によるゲーム内容をさらに多彩にするとともに、景品を展示する景品展示台としての活用性が更に高まる。
【０１３４】
尚、図３に示した第１の実施形態及び図１３に示した第５の実施形態の景品では、景品の転落または滑落を阻止する阻止手段として立体形状の景品係止ガイド部材を用いたが、景品の転落または滑落を阻止する阻止手段としては表面が高い摩擦係数の素材で形成された滑り止めテープや滑り止めシートを用いてもよい。
【０１３５】
尚、本景品取得ゲーム装置の景品の取得方法として、把持部で２本のアームを開閉して景品を把持しているが、景品の取得手段としては３本のアームで把持してもよいし、さらに景品に環をつけておき、鉤爪で吊り上げてもよいし、あるいは景品に鉄片を付けておき、磁石で吸引してもよいし、あるいは吸引するホースで景品を吸い上げる方式でもよい。
【産業上の利用可能性】
【０１３６】
本発明は、把持部に２本のアームを備えた景品取得ゲーム装置に収納する景品台に限らず、把持部に３本等、他の本数のアームや他の景品取得手段を備えた景品取得ゲーム装置に収納する景品台にも応用することができる。
【図面の簡単な説明】
【０１３７】
【図１】図１は、本発明の第１の実施形態による景品台を収納した景品取得ゲーム装置１の正面図である。
【図２】図２は、本発明の第１の実施形態による景品台の支持部を伸ばした状態の斜視図である。
【図３】図３は、本発明の第１の実施形態による景品台の支持部を最も縮めた状態の斜視図である。
【図４】図４は、本発明の第１の実施形態による景品台の平面図である。
【図５】図５は、本発明の第１の実施形態による景品台の正面図である。
【図６】図６は、本発明の第１の実施形態による景品台の側面図である。
【図７】図７は、本発明の第１の実施形態による主天板を取り外した景品台の側面図である。
【図８】図８は、本発明の第１の実施形態による景品台の主天板を取り外し回動枠体を傾斜させた景品台の側面図である。
【図９】図９は、本発明の第１の実施形態による景品台及びその周辺部を示す斜視図である。
【図１０】図１０は、本発明の第２の実施形態による景品台及びその周辺部の斜視図である。
【図１１】図１１は、本発明の第３の実施形態による景品台及びその周辺部の斜視図である。
【図１２】図１２は、本発明の第４の実施形態による景品台及びその周辺部の斜視図である。
【図１３】図１３は、本発明の第５の実施形態による景品台及びその周辺部の斜視図である。
【符号の説明】
【０１３８】
１…景品取得ゲーム装置、２…基台、３…収容部、４…景品、
５…景品取得部、１０…移動部、２０…モータ、２１…操作卓、
２２…レバー、２３…釦スイッチ、２４…コイン投入口、
２５…取出口、３１…前面、３２、３３…側面、３４…背面、
３５…開閉扉、３５ａ…施錠手段、３６…景品投入部、
３７…左右移動用固定レール、３８…前後移動用可動レール、
３９…景品取得部用基台、５１…支持部、５２…把持部、
５３…アーム、６０…床面、１００…景品台、１０１…天板、
１０２…支持部、１０３、１０４…傾斜面、１０５…主天板、
１０６…副天板、１１１…主天板取付け枠体、
１１２…副天板取付け部材、１１３…基座枠体、
１２１、１２２、１２３、１２４…開閉支脚、
１３１、１３２、１３３、１３４…引きバネ、
１３５、１３６、１３７、１３８…トーションバネ、
１４２…ロック装置、２０１…水平枠体、
２０２…回動枠体、２０３…支持棒、
２１１、２１２、２１３、２１４…外周フレーム、
２１５、２１６…内側フレーム、２２１、２２２…鋸歯状部、
２３１…ヒンジ、２４１、２４２、２４３、２４４…外周フレーム、
２５１、２５２…支脚部材、
２５３、２５４、２５５、２５６、２５７…シャフト、
２６１、２６２…支脚部材、
２６３、２６４、２６５、２６６、２６７…シャフト、
２７１、２７２…支脚部材、
２７３、２７４、２７５、２７６、２７７…シャフト、
２８１、２８２…支脚部材、
２８３、２８４、２８５、２８６、２８７…シャフト、
２９１、２９２…棒状部材、
３０１、３０２、３０３…景品係止ガイド部材、
４０１…景品取得ゲーム装置、４０３…ケーシング、
４３６…景品落し口、４０３…ケーシング、４６０…床面、
５００…景品台、５０１…天板、５０２…支持部、
５０３、５０４…傾斜面、５１１…水平面、６００…景品台、
６０１…天板、６０２…支持部、６０３、６０４…傾斜面、
６１１…水平面、７００…景品台、７０１…天板、７０２…支持部、
７０３、７０４、７０５…傾斜面、７１１…水平面、
８００…景品台、８０１…天板、８０２…支持部、
８０３、８０４…傾斜面、９０１、９０２…景品係止ガイド部材
【図１】
2008067802.tif 000003
【図２】
2008067802.tif 000004
【図３】
2008067802.tif 000005
【図４】
2008067802.tif 000006
【図５】
2008067802.tif 000007
【図６】
2008067802.tif 000008
【図７】
2008067802.tif 000009
【図８】
2008067802.tif 000010
【図９】
2008067802.tif 000011
【図１０】
2008067802.tif 000012
【図１１】
2008067802.tif 000013
【図１２】
2008067802.tif 000014
【図１３】
2008067802.tif 000015